(57)【要約】【課題】免震装置の下に台座がある場合でも、地震発生時における展示物の転倒リスクを低減する免震システムを提供する。【解決手段】少なくとも、複数の転動体５５を備える免震装置５０と、免震装置５０の下方に設置される第１台座部１０と、から構成されている免震システム１００において、免震装置５０は、上部構造体５１と、中間構造体５２と、下部構造体５３と、を有し、上部構造体５１、中間構造体５２、下部構造体５３は複数の転動体５５を介して積層されている免震装置５０であり、上部構造体５１の長さは中間構造体５２と下部構造体５３の長さＷ１に比べて長くして、かつ免震装置５０は第１台座部１０に設けられた凹部１１内に設置する免震システム１００とする。【選択図】図５
2019002535.tif 000002
【特許請求の範囲】
【請求項１】
少なくとも、複数の転動体を備える免震装置と、前記免震装置の下方に設置される第１台座部と、から構成されている免震システムであって、
前記免震装置は、上部構造体と、中間構造体と、下部構造体と、を有し、前記上部構造体、前記中間構造体、前記下部構造体は前記複数の転動体を介して積層されている免震装置であり、前記上部構造体の長さは前記中間構造体および前記下部構造体の長さに比べて長く、
かつ前記免震装置は前記第１台座部に設けられた凹部内に設置されていることを特徴とする免震システム。
【請求項２】
前記免震装置の上方には第２台座部がさらに設置されていることを特徴とする請求項１に記載の免震システム。
【請求項３】
前記凹部には上段および下段がそれぞれ形成されており、前記免震装置は前記凹部の下段に設置されていることを特徴とする請求項１または２に記載の免震システム。
【請求項４】
前記上部構造体の長さは、前記中間構造体および前記下部構造体の長さよりも前記中間構造体の可動範囲以上に長くすることを特徴とする請求項１ないし３のいずれか１項に記載の免震システム。
【発明の詳細な説明】
【技術分野】
【０００１】
本発明は、上方に積載する美術工芸品などの物体に対して地震による揺れを抑制する免震システムに関する。
【背景技術】
【０００２】
これまで、地震発生時において精密機器や美術工芸品などの物体（免震対象物）に対する地震の揺れを抑制する免震装置については、免震装置を床面に直接置いて、その免震装置の上に精密機器や美術工芸品などを置くという設置形式が多用されてきた。例えば、本出願人の出願による特許文献１や特許文献２では上部構造体、中間構造体および下部構造体から成る、いわゆる三層構造の免震装置が開示されている。
【０００３】
この免震装置は、各構造体の間に転動体（ボール）が挟み込まれており、各構造体に設けられた軌道（ボール溝）に沿ってボールが自在に動くことで、地震発生時における免震対象物の揺れを抑制する働きがある。
【先行技術文献】
【特許文献】
【０００４】
【特許文献１】特許第４５１７３５９号公報
【特許文献２】特許第５１１０５９７号公報
【発明の概要】
【発明が解決しようとする課題】
【０００５】
しかし、特許文献１および２に開示されている免震装置は一般的に床面に直接設置する（下部構造体が直接床面に接触するように免震装置を設置する）形態であったが、近年では床面上に台座を設けた上で、その台座上に上述した免震装置を置くという設置形態が増加しつつある。特に、鑑賞目的の美術工芸品などの展示物を免震装置の上に置く場合が増えてきた。
【０００６】
このような場合、免震装置の下には台座があるので、免震装置を床面に直接設置する場合に比べて、上記の展示物の重心位置は必然的に高くなる。とりわけ、塑像や彫刻など比較的に背丈のある展示物の場合にはその傾向が顕著である。
【０００７】
そのため、地震発生時に上記の展示物が転倒するリスクは、免震装置を床面に直接設置する場合に比べてより高くなる。そこで、本発明においては免震装置の下に台座がある場合でも、地震発生時における上記の展示物の転倒リスクを低減する免震システムを提供することを課題とする。
【課題を解決するための手段】
【０００８】
前述した課題を解決するために、本発明の免震システムは、少なくとも、複数の転動体を備える免震装置と、免震装置の下方に設置される第１台座部と、から構成されている免震システムであり、この免震装置は、上部構造体と、中間構造体と、下部構造体を有して、上部構造体、中間構造体、下部構造体の各構造体は複数の転動体を介して積層されている免震装置であり、上部構造体の長さを中間構造体および下部構造体の長さに比べて長くして、かつこの免震装置を第１台座部に設けた凹部内に設置する。
【０００９】
また、免震装置の上方には第２台座部を設置することもできる。さらに、第１台座部に設けられた凹部は上段および下段の２段構造として、この免震装置を凹部の下段に設置することもできる。さらにまた、免震装置を構成する上部構造体の長さ（寸法）は、中間構造体や下部構造体の長さ（寸法）に対して、少なくとも地震発生時における中間構造体の可動範囲以上に長くすることもできる。
【発明の効果】
【００１０】
本発明の免震システムは、従来からの三層構造の免震装置を設置する台座部分に地震発生時における免震装置の動きを考慮した上下段の凹部を設けて、その下段部に免震装置を設置することで、免震対象物が高さのある美術工芸品であってもその重心位置をなるべく下げることで地震発生時における上記の展示物の転倒リスクを低減するという効果を奏する。
【図面の簡単な説明】
【００１１】
【図１】本発明の一実施形態である免震システム１００を構成する免震装置５０の正面図である。
【図２】図１に示す免震装置５０の平面図である。
【図３】図１に示す免震装置５０の右側面図である。
【図４】本発明の一実施形態である免震システム１００の平面図である。
【図５】図４のＸ−Ｘ断面図である。
【図６】図５のＡ−Ａ断面図である。
【図７】図５のＢ−Ｂ断面図である。
【図８】図５のＣ−Ｃ断面図である。
【図９】本発明の一実施形態である免震システム１００を構成する別の免震装置６０の正面図である。
【図１０】図９に示す免震装置６０の平面図である。
【図１１】図９に示す免震装置６０の右側面図である。
【発明を実施するための形態】
【００１２】
本発明の免震システムの実施の形態について図面を参照して説明する。本発明の実施の形態では、まず免震システムを構成する免震装置の構造から説明する。図１は本発明の一実施形態である免震システム１００を構成する免震装置５０の正面図、図２は図１に示す同免震装置５０の平面図、図３は図１に示す同免震装置５０の右側面図である。
【００１３】
免震装置５０は、図１ないし図３に示すように大きく分けて三層構造となっている。すなわち、免震装置５０は、一般的に床面や台座等と直接接触する下部構造体５３、その下部構造体５３の上方に積層される中間構造体５２、その中間構造体５２の上方に積層されて、実質的に免震装置５０の最上層となる上部構造体５１の計３層の構造体から成り立っている。
【００１４】
各構造体５１〜５３には複数の転動体（ボール）５５とそれら転造体５５のボール溝（図１から図３には図示せず）を備えている。下部構造体５３に対して、中間構造体５２および上部構造体５１が移動する原理は、複数の転動体５５がボール溝に沿って移動することによるものである。この原理は、本出願人による特許第４５１７３５９号の特許公報にて説明されている原理と同じであるため詳細な作動原理の説明は省略する。
【００１５】
また、本発明の免震システム１００を構成する免震装置５０は、図２の紙面上での左右方向を幅方向、紙面上での上下方向を奥行方向とすれば、図１に示すように上部構造体５１の幅寸法が中間構造体５２および下部構造体５３の幅寸法よりも長くなっている。
【００１６】
具体的には、図１に示すように中間構造体５２および下部構造体５３の幅方向の寸法は共に幅寸法Ｗ１であるが、上部構造体５１の幅寸法はそれよりも張り出し寸法Ｗ１１だけ長くなっている。つまり、上部構造体５１の幅寸法は中間構造体５２および下部構造体５３の幅寸法Ｗ１と上述の張り出し寸法Ｗ１１の和（Ｗ１＋Ｗ１１）になる。
【００１７】
この張り出し寸法Ｗ１１については、地震発生時において図１に示す中間構造体５２が図面左方向へ移動する際の最大移動距離（可動範囲）以上の寸法とする。ここで中間構造体５２の可動範囲については、中間構造体５２と下部構造体５３の間に設けられている転動体（ボール）がボール溝を移動できる範囲の２倍の距離とする。
【００１８】
なお、本実施の形態では図１に示すように中間構造体５２の幅方向の寸法と下部構造体５３の幅方向の寸法は同じ幅寸法Ｗ１の場合を示しているが、それぞれの幅寸法が異なっていても構わない。例えば、中間構造体５２の幅方向の寸法が下部構造体５３の幅方向の寸法よりも大きい場合や小さい場合であっても本発明の免震システム１００を構成する免震装置５０の技術的な範囲である。
【００１９】
次に、本発明の免震システム１００を構成する第１台座部１０および第２台座部２０について図面を用いて説明する。図４は、本発明の免震システム１００の平面図、図５は図４のＸ−Ｘ断面図である。また、図６は図５のＡ−Ａ断面図、図７は図５のＢ−Ｂ断面図、図８は図５のＣ−Ｃ断面図である。
【００２０】
図４に示す免震装置５０は本発明の免震システム１００の図面上で左側（左端）に設置されるものであり、同図右側（右端）に設置される免震装置６０の形態は図９ないし図１１に示す。図９ないし図１１に示す免震装置６０の構造は免震装置５０の構造と基本的には同じであるが、免震装置６０を構成する上部構造体６１の幅方向の張り出し方向（張り出し寸法Ｗ２１）は図９に示すように免震装置５０の上部構造体５１とは逆向き（図面上右側）となっている。
【００２１】
本発明の免震システム１００を構成する第１台座部１０は、床面に直接設置される台や机等のように上方に物体を載置できるものである。この第１台座部１０の上面には凹部１１が設けられており、この凹部１１は図４および図５に示すように、上段１１Ａと下段１１Ｂの二段構造となっている。本発明の免震システム１００を構成する免震装置５０は、図４および図５に示すように凹部１１の下段１１Ｂに設置される。
【００２２】
本発明の免震システム１００を構成する第２台座部２０は、その上方には美術品や工芸品などの免震対象物を載置できる形態となっており、免震装置５０を構成する上部構造体５１の上方に設置される。
【００２３】
また、第２台座部２０の幅寸法および奥行寸法はともに上部構造体５１の各寸法以上であり、図４ないし図８に示すように第２台座部２０は上部構造体５１の上面および周囲の各側面を覆う構造となっている。さらに、第２台座部２０は静止時において図４ないし図８に示すように第１台座部１０の凹部１１もすべて覆う大きさでもある。ここで、第２台座部２０が第１台座部１０の凹部１１を覆う大きさについては、免震システム１００の外部から少なくとも凹部１１の上段１１Ａ内を視認できない程度の大きさであることが望ましい。
【００２４】
なお、図５に示す免震装置５０を構成している上部構造体５１の同図左側への張り出し寸法は、第１台座部１０の凹部１１の上段１１Ａの幅方向の寸法よりも小さい場合の形態を示しているが、上部構造体５１の張り出し寸法は凹部１１の上段１１Ａの幅方向の寸法よりも大きくても構わない。
【００２５】
また、図４に示す免震システム１００は図面左側に免震装置５０が配置されて、図面右側には異なる免震装置６０がそれぞれ配置されているが、これら２台の免震装置５０、６０は連結金具やボルトなど種々の形態で連結できるものとする。
【００２６】
次に、本発明の免震システム１００の作用について説明する。本発明の免震システム１００は前述したように少なくとも免震装置５０を備えているので、二軸方向に自在に移動することができる。ここで、「二軸」とは、図２に示す幅方向および奥行方向である。本発明の免震システム１００が図４に示す奥行方向に移動する場合、第２台座部２０および上部構造体５１のみが図４に示す奥行方向に移動する（中間構造体５２および下部構造体５３は奥行方向に移動しない）。
【００２７】
これに対して、本発明の免震システム１００が図４に示す幅方向に移動する場合には、第２台座部２０および上部構造体５１のほかに中間構造体５２も幅方向に移動する（下部構造体５３は移動しない）。第２台座部２０、上部構造体５１および中間構造体５２が幅方向（図面左方向）へ移動した場合の、それぞれの移動位置を図５において二点鎖線で示す。
【００２８】
この場合、凹部１１の上段１１Ａの幅寸法は中間構造体５２の図面左側への最大移動距離（可動範囲）以上の寸法であるため、地震発生時においても中間構造体５２が第１台座部１０の凹部１１と接触することはない。例えば、地震発生時に免震装置５０の中間構造体５２が移動する距離（図５における左側方向）が最大２００ｍｍである場合（最大移動距離＝２００ｍｍ）には、凹部１１の上段１１Ａの幅寸法を２００ｍｍ以上とする。
【００２９】
なお、本実施の形態では第１台座部１０の凹部１１が上段１１Ａおよび下段１１Ｂの二段構造の場合を示しているが、凹部１１内の形態は免震装置５０を収容できる空間であれば、段差のない単なる凹みであっても、または三段以上の段差形状であっても構わない。
【００３０】
また、本実施形態の免震システム１００は図４に示すように２台の免震装置５０、６０のみで構成している形態を示しているが、本発明の免震システムは図４に示す形態に限定されない。
【００３１】
すなわち、本発明の免震システムでは、これらの２台の免震装置５０、６０間に異なる形態の免震装置を別個に配置（割り込んで配置）したり、図４に示す奥行方向にこれら２台とは異なる免震装置を別個に配置（二列以上の配置）しても構わない。
【００３２】
さらに、本実施形態の免震システム１００は図４および図５に示すように免震装置５０、６０の上方（上面）に第２台座部２０が設置されている場合の形態を示しているが、第２台座部２０が設置されていない場合には、免震装置５０、６０の上部構造体５１、６１の張り出し寸法Ｗ１１、Ｗ２１を凹部１１の上段１１Ａの幅方向の寸法以上に長くすることで、第２台座部２０が設置されている場合と同様に免震システム１００の外部から少なくとも凹部１１の上段１１Ａ内を視認できない構成となる。
【符号の説明】
【００３３】
１０                      第１台座部
１１                      第１台座部１０の凹部
１１Ａ                    凹部１１の上段
１１Ｂ                    凹部１１の下段
２０                      第２台座部
５０、６０                免震装置
５１、６１                上部構造体
５２、６２                中間構造体
５３、６３                下部構造体
５４                      ボール溝
５５、６５                転動体（ボール）
１００                    免震システム
Ｗ１、Ｗ２                 中間構造体５２、６２および下部構造体５３、６３の幅寸法
Ｗ１１、Ｗ２１             上部構造体５１、６１の張り出し寸法（張り出し量）
【図１】
2019002535.tif 000003
【図２】
2019002535.tif 000004
【図３】
2019002535.tif 000005
【図４】
2019002535.tif 000006
【図５】
2019002535.tif 000007
【図６】
2019002535.tif 000008
【図７】
2019002535.tif 000009
【図８】
2019002535.tif 000010
【図９】
2019002535.tif 000011
【図１０】
2019002535.tif 000012
【図１１】
2019002535.tif 000013